(57)【要約】【課題】容易に摘み上げることができる数え棒を提供する。【解決手段】数え棒１は、対向する第１平面２および第２平面３を備える。第１平面２および第２平面３は、長手方向Ｘに沿った側縁の少なくとも一方に、側縁全長に亘って、相対向する平面（第１平面２または第２平面３）側に向かう傾斜面（上右方傾斜面２ａおよび下左方傾斜面３ａ）が形成されている。【選択図】図１Ａ
0003167668.tif 000002
【実用新案登録請求の範囲】
【請求項１】
複数本を組み合わせて数、平面図形、および立体の学習に用いられる数え棒であって、
対向する第１平面および第２平面を備え、
前記第１平面および前記第２平面は、長手方向に沿った側縁の少なくとも一方に、該側縁全長に亘って、数え棒を傾動させる傾動手段を備えること
を特徴とする数え棒。
【請求項２】
請求項１に記載の数え棒であって、
前記傾動手段として、相対向する平面側に向かう傾斜面が形成されていること
を特徴とする数え棒。
【請求項３】
請求項１に記載の数え棒であって、
前記傾動手段として、段差が形成されていること
を特徴とする数え棒。
【考案の詳細な説明】
【技術分野】
【０００１】
本考案は、複数本を組み合わせて数、平面図形、および立体の学習に用いられる数え棒に関する。
【背景技術】
【０００２】
従来、低学年の児童への算数の学習の際に、数え棒を用いて数の合成や分解等を理解させていた。数え棒は、端部に設けられた切欠きと中央に設けられた角孔とを備え、数え棒同士を組み合わせることができる。複数の数え棒を組み合わせて形作ることによって、平面図形や立体を理解させていた。
【０００３】
ところで、器用さの発達していない低学年の児童にとって、数え棒を組み合わせる作業は難しい作業である。そこで、数え棒を収束するためのキャップが考えられている（例えば、特許文献１参照。）。
【０００４】
特許文献１に記載の算数学習用数え棒の収束装置は、数え棒を束ねるキャップを備え、キャップに設けられたリブに切欠きを嵌め込むことによって、数え棒を収束する。キャップを机に載置して、両手で数え棒を保持することによって、数え棒を容易に組み合わせることができる。
【先行技術文献】
【特許文献】
【０００５】
【特許文献１】実公平５−２６５９６号公報
【考案の概要】
【考案が解決しようとする課題】
【０００６】
しかしながら、従来の数え棒の表面は、一様に平坦な平面とされていたので、机に載置したとき、数え棒の表面全体が机に接しており、数え棒を摘み上げることが困難であった。数え棒を摘み上げる際、作業者は指先で数え棒の側面を挟持するが、数え棒は比較的薄く形成されており、指に接する側面の面積が小さいため、数え棒を摘み損ねる可能性があった。
【０００７】
本考案は、上記の課題を解決するためになされたものであり、容易に摘み上げることができる数え棒を提供することを目的とする。
【課題を解決するための手段】
【０００８】
本考案に係る数え棒は、複数本を組み合わせて数、平面図形、および立体の学習に用いられる数え棒であって、対向する第１平面および第２平面を備え、前記第１平面および前記第２平面は、長手方向に沿った側縁の少なくとも一方に、該側縁全長に亘って、数え棒を傾動させる傾動手段を備えることを特徴とする。
【０００９】
この構成によると、数え棒が机などの平らな面上に載置されたとき、数え棒を傾動させることによって、数え棒を摘み上げることが容易になる。
【００１０】
本考案に係る数え棒では、前記傾動手段として、相対向する平面側に向かう傾斜面が形成されていることを特徴とする。
【００１１】
この構成によると、数え棒が机などの平らな面上に載置されたとき、傾斜面と机の面との間にできる隙間を利用することによって、数え棒を摘み上げることが容易になる。つまり、机との間にできた隙間に指が引っ掛かることによって、数え棒を摘みやすくなる。また、隙間のできた側縁を上から指で押さえることによって、反対側の側縁が浮き上がり、数え棒を摘みやすくなる。
【００１２】
本考案に係る数え棒は、前記傾動手段として、段差が形成されていることを特徴とする。
【００１３】
この構成によると、数え棒が机などの平らな面上に載置されたとき、段差と机の面との間にできる隙間を利用することによって、数え棒を摘み上げることが容易になる。
【考案の効果】
【００１４】
本考案によると、数え棒が机などの平らな面上に載置されたとき、数え棒を傾動させることによって、数え棒を摘み上げることが容易になる。
【００１５】
また、本考案によると、数え棒が机などの平らな面上に載置されたとき、傾斜面と机の面との間にできる隙間を利用することによって、数え棒を摘み上げることが容易になる。つまり、机との間にできた隙間に指が引っ掛かることによって、数え棒を摘みやすくなる。また、隙間のできた側縁を上から指で押さえることによって、反対側の側縁が浮き上がり、数え棒を摘みやすくなる。
【図面の簡単な説明】
【００１６】
【図１Ａ】本考案の実施の形態に係る数え棒の斜視図である。
【図１Ｂ】図１Ａの矢符Ａ−Ａでの断面図である。
【図２】数え棒を摘み上げる作業を説明する説明図である。
【図３】数え棒を摘み上げる作業を説明する説明図である。
【図４】本考案の実施の形態に係る数え棒の変形例１を示す概略断面図である。
【図５】本考案の実施の形態に係る数え棒の変形例２を示す概略断面図である。
【図６】本考案の実施の形態に係る数え棒の変形例３を示す概略断面図である。
【図７】本考案の実施の形態に係る数え棒の変形例４を示す概略断面図である。
【図８】本考案の実施の形態に係る数え棒の変形例５を示す概略断面図である。
【考案を実施するための形態】
【００１７】
以下、本考案の実施の形態に係る数え棒について、図面に基づいて説明する。
【００１８】
図１Ａは、本考案の実施の形態に係る数え棒の斜視図であって、図１Ｂは、図１Ａの矢符Ａ−Ａでの断面図である。
【００１９】
本考案の実施の形態に係る数え棒１は、対向する第１平面２および第２平面３を備える。第１平面２および第２平面３は、数え棒１を傾動させる傾動手段として、長手方向Ｘに沿った側縁の少なくとも一方に、側縁全長に亘って、相対向する平面（第１平面２または第２平面３）側に向かう傾斜面（上右方傾斜面２ａおよび下左方傾斜面３ａ）が形成されている。なお、以下では説明のため、上右方傾斜面２ａ、下左方傾斜面３ａ、上左方傾斜面２ｂ（後述する図５および図６参照）、および下右方傾斜面３ｂ（後述する図４ないし図６参照）をまとめて傾斜面と呼ぶことがある。
【００２０】
この構成によると、数え棒１が机などの平らな面上に載置されたとき、傾斜面と机の面との間にできる隙間を利用することによって、数え棒１を傾動させて、数え棒１を摘み上げることが容易になる。つまり、机との間にできた隙間に指が引っ掛かることによって、数え棒１を摘みやすくなる。また、隙間のできた側縁を上から指で押さえることによって、反対側の側縁が浮き上がり、数え棒１を摘みやすくなる。なお、机に載置された数え棒１を摘み上げる作業については、後述する図２および図３に基づいて説明する。
【００２１】
第１平面２の一側縁には、第２平面３に向かって傾斜した上右方傾斜面２ａが形成されている。なお、以下では説明のため、数え棒１の第１平面２側を上方と呼び、第２平面３側を下方と呼ぶことがある。また、数え棒１の上右方傾斜面２ａ側を右方と呼び、上右方傾斜面２ａが形成された側縁と反対の側縁側を左方と呼ぶことがある。第２平面３の左方の側縁には、第１平面２に向かって傾斜した下左方傾斜面３ａが形成されている。また、数え棒１は、第１平面２および第２平面３に対して垂直な平面を側面に備える。
【００２２】
数え棒１は、合成樹脂で形成されており、数え棒１の長手方向Ｘで対抗する端部には、切欠き４が形成されている。また、数え棒１の中央には、第１平面２から第２平面３まで貫通する角孔５が形成されている。なお、切欠き４および角孔５は、数え棒１を嵌め込んで組み合わせることができる大きさとされている。
【００２３】
数え棒１には、表面に滑り止めを形成することが望ましい。この構成によると、表面に設けられた滑り止めによって、数え棒１がさらに摘みやすくなる。
【００２４】
本実施の形態に係る数え棒１では、滑り止めとして表面（第１平面２および第２平面３）に複数の溝６が形成されている。なお、本考案はこれに限定されず、滑り止めとして表面に細かな凹部を設けて、凹凸を形成してもよい。
【００２５】
図２は、数え棒を摘み上げる作業を説明する説明図である。
【００２６】
数え棒１は、第２平面３が机Ｔｂに接するように載置されており、下左方傾斜面３ａと机Ｔｂとの間に隙間ができている。作業者が隙間に指を引っ掛けることによって、左方の側縁が浮き上がり、作業者は、第１平面２および第２平面３を挟持することができる。比較的広い面積とされている第１平面２および第２平面３を挟持することによって、数え棒１を容易に摘み上げることができる。ここで、第１平面２および第２平面３に滑り止め（溝６）が形成されていることによって、数え棒１を確実に保持することができる。
【００２７】
図３は、数え棒を摘み上げる作業を説明する説明図である。
【００２８】
数え棒１は、図２と同様にして机Ｔｂに載置されている。作業者が左方の側縁を押さえたとき、右方の側縁が浮き上がり、下左方傾斜面３ａが机Ｔｂに接する。右方の側縁が浮き上がったことによって、第２平面３と机Ｔｂとの間に隙間ができ、作業者は、第１平面２および第２平面３を挟持することができる。
【００２９】
なお、第１平面２が机Ｔｂに接するように数え棒１が載置されたときは、上右方傾斜面２ａと机Ｔｂとの間に隙間ができる。つまり、数え棒１が机Ｔｂに載置されたとき、机Ｔｂに接する平面側に形成された傾斜面と机Ｔｂとの間に隙間ができる。したがって、いずれの平面が机Ｔｂに接するように載置されたときであっても、作業者は、数え棒１を容易に摘み上げることができる。上述したように、傾動手段（例えば、傾斜面）によって、数え棒１を傾動させたとき、左方または右方の端部が浮き上がる。
【００３０】
本考案は、図１Ａに示す構造に限定されず、異なる側縁に傾斜面が形成されていてもよい。以下では、数え棒の変形例について、図４ないし図７に基づいて説明する。なお、変形例は、図１Ａで示した数え棒１と同じく切欠き４および角孔５を備えた構造であって、略同様の形状であるので、斜視図は省略し、数え棒１の変形例の断面を示す。
【００３１】
図４は、本考案の実施の形態に係る数え棒の変形例１を示す概略断面図である。
【００３２】
変形例１では、第１平面２の右方の側縁に上右方傾斜面２ａが形成されている。また、第２平面３の右方の側縁には、下右方傾斜面３ｂが形成されている。変形例１では、図１Ａに示す数え棒１の下左方傾斜面３ａに代えて、下右方傾斜面３ｂが形成されている。つまり、変形例１では、それぞれの傾斜面が同じ側の側縁に形成されている点で、図１Ａに示す数え棒１と異なる。なお、数え棒１の表面には、上述した滑り止めを形成することが望ましい。
【００３３】
図５は、本考案の実施の形態に係る数え棒の変形例２を示す概略断面図である。
【００３４】
変形例２では、第１平面２の左方の側縁に上左方傾斜面２ｂが形成され、右方の側縁に上右方傾斜面２ａが形成されている。また、第２平面３の左方の側縁には、下左方傾斜面３ａが形成され、第２平面３の右方の側縁には、下右方傾斜面３ｂが形成されている。また、数え棒１は、第１平面２および第２平面３に対して垂直な平面を側面に備える。つまり、変形例２では、両側の側縁のそれぞれに傾斜面が形成されている点で、図１Ａに示す数え棒１と異なる。なお、数え棒１の表面には、上述した滑り止めを形成することが望ましい。
【００３５】
図６は、本考案の実施の形態に係る数え棒の変形例３を示す概略断面図である。
【００３６】
変形例３では、変形例２と同様にして、両側の側縁のそれぞれに傾斜面が形成されている。変形例３では、上左方傾斜面２ｂと下左方傾斜面３ａとが連続しており、上右方傾斜面２ａと下右方傾斜面３ｂとが連続している点で、変形例２と異なる。
【００３７】
図７は、本考案の実施の形態に係る数え棒の変形例４を示す概略断面図である。
【００３８】
変形例４では、図１Ａに示す数え棒１と同様に、上右方傾斜面２ａと下左方傾斜面３ａとが形成されている。変形例１では、上右方傾斜面２ａと第２平面３とが連続しており、下左方傾斜面３ａと第１平面２とが連続している点で、図１Ａに示す数え棒１と異なる。
【００３９】
本考案では、傾動手段として、側縁に段差が形成されていてもよい。この構成によると、数え棒１が机などの平らな面上に載置されたとき、段差と机の面との間にできる隙間を利用することによって、数え棒１を摘み上げることが容易になる。つまり、段差を形成することによって、傾斜面を形成した場合と同様の効果を奏する。
【００４０】
以下では、段差が形成された変形例５について、図８に基づいて説明する。なお、変形例５は、図１Ａで示した数え棒１と同じく切欠き４および角孔５を備えた構造であって、略同様の形状であるので、斜視図は省略し、数え棒１の変形例の断面を示す。
【００４１】
図８は、本考案の実施の形態に係る数え棒の変形例５を示す概略断面図である。
【００４２】
変形例５では、第１平面２の左方の側縁に上左方段差２ｄが形成され、右方の側縁に上右方段差２ｃが形成されている。また、第２平面３の左方の側縁には、下左方段差３ｃが形成され、第２平面３の右方の側縁には、下右方段差３ｄが形成されている。また、数え棒１は、第１平面２および第２平面３に対して垂直な平面を側面に備える。
【００４３】
なお、本考案は、上記の構造に限定されず、第１平面２および第２平面３の少なくとも一方の側縁に段差が形成されていればよい。また、いずれの側縁に段差を形成するか適宜選択することができる。
【符号の説明】
【００４４】
１  数え棒
２  第１平面
２ａ  上右方傾斜面（傾動手段の一例）
２ｂ  上左方傾斜面（傾動手段の一例）
２ｃ  上右方段差（傾動手段の一例）
２ｄ  上左方段差（傾動手段の一例）
３  第２平面
３ａ  下左方傾斜面（傾動手段の一例）
３ｂ  下右方傾斜面（傾動手段の一例）
３ｃ  下左方段差（傾動手段の一例）
３ｄ  下右方段差（傾動手段の一例）
４  切欠き
５  角孔
６  溝
Ｘ  長手方向
【図１Ａ】
0003167668.tif 000003
【図１Ｂ】
0003167668.tif 000004
【図２】
0003167668.tif 000005
【図３】
0003167668.tif 000006
【図４】
0003167668.tif 000007
【図５】
0003167668.tif 000008
【図６】
0003167668.tif 000009
【図７】
0003167668.tif 000010
【図８】
0003167668.tif 000011